(57)【要約】【課題】圧縮空気消費量を効果的に低減し得る自動ウェブ捕捉装置を提供する。【解決手段】本発明の自動ウェブ捕捉装置１６は、そのウェブ通過開口２２の幅の半分よりも小さい幅を有する少なくとも１つの噴射ユニット２４を備えている。噴射ユニット２４は、印刷ウェブ４の振動を抑制するための、ウェブ縁部に向けられた少なくとも１つの圧縮空気ノズル２８を有している。また、自動ウェブ捕捉装置１６は、噴射ユニット２４をウェブ縁部に対して自動的に位置調節するための駆動ユニット３２と、駆動制御ユニット３８とを備えている。【選択図】図４
2008110607.tif 000002
【特許請求の範囲】
【請求項１】
輪転印刷機用の自動ウェブ捕捉装置（１６）であって、
印刷ウェブ（４）が通過するスリット状のウェブ通過開口（２２）と、
少なくとも１つの圧縮空気ノズル（２８）を備えた少なくとも１つの噴射ユニット（２４）であって、当該ウェブ捕捉装置（１６）のウェブ進入側（２６）において前記印刷ウェブ（４）のウェブ表面に対向するように配置され、かつ前記ウェブ表面に安定化用圧縮空気（３０）を吹き付けて前記印刷ウェブ（４）の振動を抑制するものと、
を備え、前記噴射ユニット（２４）が前記印刷ウェブ（４）の幅方向に移動して位置調節され得るものにおいて、
前記噴射ユニット（２４）の幅が、前記ウェブ通過開口（２２）の幅の７５％以下になっており、
前記噴射ユニット（２４）を移動させて位置調節する第１の駆動ユニット（３２）が備えられており、
前記圧縮空気ノズル（２８）が、前記印刷ウェブ（４）のウェブ縁部に向けられており、さらに、
幅の異なる印刷ウェブ（４）が使用された際、ウェブ側端（４−５，４−６）の位置情報を含む制御信号（３６）に応答して、前記第１の駆動ユニット（３２）を制御し、前記噴射ユニット（２４）を前記ウェブ縁部に隣接する配置すべき位置に自動的に配置する第１の駆動制御ユニット（３８）が備えられている、
ことを特徴とする自動ウェブ捕捉装置（１６）。
【請求項２】
前記噴射ユニット（２４）が、一方および他方の前記ウェブ側端（４−５，４−６）に対してそれぞれ設けられており、
前記第１の駆動ユニット（３２）は、前記噴射ユニット（２４）の両方に対して１つ、またはそれぞれに対して１つずつ設けられており、さらに、
前記第１の駆動制御ユニット（３８）は、前記第１の駆動ユニット（３２）が前記噴射ユニット（２４）それぞれに対して１つずつ設けられている場合、前記第１の駆動ユニット（３２）の両方に対して１つまたはそれぞれに対して１つずつ設けられている、
ことを特徴とする請求項１に記載の自動ウェブ捕捉装置（１６）。
【請求項３】
前記噴射ユニット（２４）の幅が、前記ウェブ通過開口（２２）の幅の５０％以下または２５％以下、あるいは前記ウェブ縁部と同じ幅であることを特徴とする請求項１または２に記載の自動ウェブ捕捉装置（１６）。
【請求項４】
前記噴射ユニット（２４）が、複数の前記圧縮空気ノズル（２８）を有していることを特徴とする請求項１〜３のいずれか１項に記載の自動ウェブ捕捉装置（１６）。
【請求項５】
複数の補助圧縮空気ノズル（４８）を有する補助噴射ユニット（４４）が、前記ウェブ進入側（２６）の前記噴射ユニット（２４）の隣において前記ウェブ表面に対向するように配置されており、
前記補助噴射ユニット（４４）および前記補助圧縮空気ノズル（４８）は、前記ウェブ表面の少なくとも１面側に、当該自動ウェブ捕捉装置（１６）を通過し得る前記印刷ウエブ（４）の最大幅にわたり、前記ウェブ幅方向に沿って配置されていることを特徴とする請求項１〜４のいずれか１項に記載の自動ウェブ捕捉装置（１６）。
【請求項６】
前記噴射ユニット（２４）および前記補助噴射ユニット（４４）は、同じウェブ表面側に配置されていることを特徴とする請求項５に記載の自動ウェブ捕捉装置（１６）。
【請求項７】
前記印刷ウェブ（４）を非接触に検出する少なくとも１つの検出器（７８，７９；９４ｃ，９４ｄ，９５ｃ，９５ｄ）を有する少なくとも１つの監視ユニット（７０ａ，７０ｂ；９０ａ，９０ｂ）を含み、前記検出器（７８，７９；９４ｃ，９４ｄ，９５ｃ，９５ｄ）の検出信号に応じた監視信号（６９；８４）を生成する、ウェブ監視装置がさらに備えられていることを特徴とする請求項１〜６のいずれか１項に記載の自動ウェブ捕捉装置（１６）。
【請求項８】
前記ウェブ監視装置が、当該自動ウェブ捕捉装置（１６）のウェブ退出側（５２）に配置されていることを特徴とする請求項７に記載の自動ウェブ捕捉装置（１６）。
【請求項９】
前記監視ユニット（７０ａ，７０ｂ）は、ウェブ断裂検出装置（６８）に含まれており、当該ウェブ断裂検出装置（６８）は、前記印刷ウェブ（４）が断裂した際、前記監視信号としてエラー信号（６９）を生成するようになっていることを特徴とする請求項７または８に記載の自動ウェブ捕捉装置（１６）。
【請求項１０】
前記検出器は、前記ウェブ縁部の前記ウェブ側端（４−５，４−６）近傍を横切る検出光線（８０）を生成するウェブ断裂検出器（７８，７９）であり、
前記監視ユニットは、前記ウェブ側端（４−５，４−６）の一方、他方または両方の近傍にそれぞれ位置調節されるウェブ断裂監視ユニット（７０ａ，７０ｂ）であり、
前記検出光線（８０）は、前記印刷ウェブ（４）が正常なテンションを保ちつつ走行しているとき、前記印刷ウェブ（４）によって遮断される一方、前記印刷ウェブ（４）が断裂したとき、前記印刷ウェブ（４）によって遮断されないようになっている、
ことを特徴とする請求項９に記載の自動ウェブ捕捉装置（１６）。
【請求項１１】
前記ウェブ断裂監視ユニット（７０ａ，７０ｂ）は、前記ウェブ縁部に向けられた少なくとも１つの圧縮空気ノズル（７４ａ，７４ｂ）を有しており、ウェブ断裂が生じた際、前記圧縮空気ノズル（７４ａ，７４ｂ）からの圧縮空気（７２ａ，７２ｂ）により、前記印刷ウェブ（４）における断裂箇所より上流側の部分を押し下げるようになっていることを特徴とする請求項１０に記載の自動ウェブ捕捉装置（１６）。
【請求項１２】
前記監視ユニット（９０ａ，９０ｂ）は、ウェブ縁部破れ検出装置（８８）に含まれており、当該ウェブ縁部破れ検出装置（８８）は、前記ウェブ縁部に破れが発生した際、前記監視信号としてエラー信号（８４）を生成するようになっていることを特徴とする請求項７〜１１のいずれか１項に記載の自動ウェブ捕捉装置（１６）。
【請求項１３】
前記検出器は、前記ウェブ幅方向に間隔をあけて配置された内側および外側ウェブ側端検出器（９４ｃ，９４ｄ，９５ｃ，９５ｄ）であり、
前記監視ユニットは、前記ウェブ幅方向に移動して前記ウェブ側端（４−５，４−６）の一方、他方または両方の近傍における目標位置にそれぞれ位置調節され得るウェブ側端監視ユニット（９０ａ，９０ｂ）であり、
前記目標位置においては、前記内側ウェブ側端検出器（９５ｃ，９５ｄ）による内側検出光線（９５）のみが前記印刷ウェブ（４）に交差し、外側ウェブ側端検出器（９４ｃ，９４ｄ）による外側検出光線（９４）は交差しないようになっており、
前記ウェブ側端監視ユニット（９０ａ，９０ｂ）は、第２の駆動ユニット（９２ａ，９２ｂ）と、当該第２の駆動ユニット（９２ａ，９２ｂ）を制御する第２の駆動制御ユニット（９３ａ，９３ｂ）とを備えていて、前記ウェブ側端（４−５，４−６）の一方または両方が前記ウェブ幅方向に位置ずれしている場合、前記第２の駆動ユニット（９２ａ，９２ｂ）によって、前記ウェブ側端（４−５，４−６）に対して位置調節され、
前記ウェブ側端監視ユニット（９０ａ，９０ｂ）の前記位置調節は、前記検出光線（９４，９５）のうちの何本が前記印刷ウェブ（４）に交差するかに応じて行われ、前記内側検出光線（９５）のみが前記印刷ウェブ（４）に交差し、前記外側検出光線（９４）は交差しないようにされ、
前記ウェブ縁部破れ検出装置（８８）は、比較装置（９６）を備えており、
前記比較装置（９６）は、前記ウェブ側端監視ユニット（９０ａ，９０ｂ）の現在位置を示す現在位置信号を前記第２の駆動制御ユニット（９３ａ，９３ｂ）から受信し、前記現在位置信号と前記ウェブ側端監視ユニット（９０ａ，９０ｂ）の目標位置に関する目標位置信号（９１）とを比較計算し、前記現在位置信号の値が前記目標位置信号の値から予め定められた最小値以上に外れていたとき、エラー信号（８４）を生成する、
ことを特徴とする請求項１２に記載の自動ウェブ捕捉装置（１６）。
【発明の詳細な説明】
【技術分野】
【０００１】
本発明は、輪転印刷機、特にオフセット印刷機の自動ウェブ捕捉装置に関する。
【背景技術】
【０００２】
輪転印刷機においては、走行時に付与されるテンションにより、印刷ウェブの断裂が不可避的に生じる。このウェブ断裂は、最下流の印刷ユニットとその下流に配置された乾燥機との間で生じ易い。ウェブ断裂が生じると、分裂した印刷ウェブの上流側部分が案内を失い、最下流の印刷ユニットにおける印刷胴に巻き付いてしまう。印刷胴に分裂した印刷ウェブの上流側部分が巻き付くと、印刷機の運転が長い間中断されると共に、印刷胴（特にゴム胴・版胴・圧胴）ならびにその支持部およびフレームが損傷してしまうおそれがある。さらに、分裂した印刷ウェブの上流側部分が印刷胴に複数層巻き付くと、印刷胴間の印刷ギャップが十分確保されず、印刷ウェブが正常に送り出されない。
【０００３】
そこで、従来の輪転印刷機には、最下流の印刷ユニットとその下流の乾燥機との間であってウェブ断裂が発生し易い箇所より上流側に、自動ウェブ捕捉装置が配置されている。従来の自動ウェブ捕捉装置は、ウェブ退出側にウェブ断裂センサを備えている。ウェブ断裂センサは、ウェブ断裂が生じた際、ウェブ断裂信号を自動ウェブ捕捉装置の制御装置に送信する。その結果、自動ウェブ捕捉装置の捕捉ユニットが駆動される。
【０００４】
捕捉ユニットは、走行する印刷ウェブの下方に配置された捕捉ローラと、上方に配置された自由回転可能な複数のトロリーホイールとを含んでいる。捕捉ローラは、モータによって、印刷ウェブの走行速度よりもやや速い周速で回転駆動される。トロリーホイールは、ウェブ断裂が生じると、ウェブ断裂信号を受けて即座に下方に移動せしめられる。その結果、分裂した印刷ウェブの上流側部分は、捕捉ローラとトロリーホイールとの間に挟み込まれる。そして、捕捉ローラにより、ウェブ分裂片が最下流の印刷ユニットから引き出され、下方に排出される。
【０００５】
ウェブ断裂検出装置としては、例えば、ＤＥ３９３９２２６Ａ１やＤＥ１９７３４１３７Ａ１に開示されたものが知られている。ウェブ側端に対して平行にのびる領域であって印刷ウェブの長さ方向に対する縁部（以下、単にウェブ縁部と称する）の破れを認識するウェブ縁部破れ検出装置としては、ＤＥ１０２０４０１７６７６Ａ１に開示されたものが知られている。ウェブ縁部が破れて印刷ウェブから分離すると、その分離したウェブ縁部が印刷胴に巻き付いて、ウェブ断裂時と同様に印刷機が損傷するおそれがある。
【０００６】
ウェブ断裂およびウェブ縁部破れを認識するセンサは、従来、自動ウェブ捕捉装置のウェブ退出側に配置される。当該センサは、ウェブの欠陥を認識した場合、即座に信号を生成し、自動ウェブ捕捉装置を駆動すると共に、印刷機の運転を停止する。また、ウェブ欠陥が実際に生じたとき、当該センサはエラー信号を生成する。しかし、ウェブ走行速度が高速である近代の印刷機においては、印刷ウェブが振動したりバタついたりするため、誤認識なくウェブ欠陥を検出することは困難となっている。
【０００７】
そこで、自動ウェブ捕捉装置のウェブ進入側に圧縮空気ノズルを配置し、当該圧縮空気ノズルからの圧縮空気流によってウェブの振動を抑制する技術が提案されている。この場合、圧縮空気流は、印刷ウェブの下面に対して吹き付けられる。圧縮空気ノズルは、複数のノズル孔が一列に配置されて構成されている。圧縮空気ノズルの幅（ノズル孔からなる列の長さ）は、ウェブ通過開口の全幅（ウェブ幅方向に沿った長さ）と同程度になっている。
【特許文献１】ＤＥ３９３９２２６Ａ１
【特許文献２】ＤＥ１９７３４１３７Ａ１
【特許文献３】ＤＥ１０２０４０１７６７６Ａ１
【発明の開示】
【発明が解決しようとする課題】
【０００８】
印刷ウェブの振動およびバタつきは、印刷ウェブ近傍に配置された非接触式の検出器（センサ）の精度を低下させる。当該振動およびバタつきは、ウェブ側端において強く現れるため、圧縮空気ノズルのウェブ側端近傍には、ウェブ中央近傍に比べてより多くのノズル孔が設けられる。
【０００９】
ここで、より多くのノズル孔が配置されるウェブ側端近傍とは、自動ウェブ捕捉装置のウェブ通過開口を通過し得る最大幅の印刷ウェブのウェブ側端近傍を意味する。さらに、比較的幅の狭い印刷ウェブが使用される場合、印刷ウェブは通常、印刷機の中央を走行せしめられ、印刷機の一方側に偏って走行せしめられることはない。したがって、幅の狭い印刷ウェブが使用された場合、最大幅の印刷ウェブのウェブ側端近傍により多く配置されたノズル孔から供給される圧縮空気流は、印刷ウェブに作用されず、無駄に消費されることになる。圧縮空気を常時供給するためのコストは非常に高コストであるため、印刷ウェブの幅が狭いとき、非常に不利益を被ることになる。
【００１０】
これらの問題を解決すべく、圧縮空気ノズルを、手動でウェブ幅方向に移動させて位置調整可能なように、自動ウェブ捕捉装置に対して取り付ける技術が提案されている。しかし、オペレータが当該位置調整を忘れることもあるし、当該位置調整がなされたとしても、両端部により多く配置されたノズル孔のうちの一方側は、どうしても印刷ウェブから外れてしまうことになる。
【００１１】
本発明は上記事情に鑑みてなされたものであり、その目的とするところは、圧縮空気消費量を効果的に低減し得る自動ウェブ捕捉装置を提供することにある。
【課題を解決するための手段】
【００１２】
上記課題を解決するために本発明は、＜１＞  輪転印刷機用の自動ウェブ捕捉装置であって、印刷ウェブが通過するスリット状のウェブ通過開口と、少なくとも１つの圧縮空気ノズルを備えた少なくとも１つの噴射ユニットであって、当該ウェブ捕捉装置のウェブ進入側において前記印刷ウェブのウェブ表面に対向するように配置され、かつ前記ウェブ表面に安定化用圧縮空気を吹き付けて前記印刷ウェブの振動を抑制するものと、を備え、前記噴射ユニットが前記印刷ウェブの幅方向に移動して位置調節され得るものにおいて、前記噴射ユニットの幅が、前記ウェブ通過開口の幅の７５％以下になっており、前記噴射ユニットを移動させて位置調節する第１の駆動ユニットが備えられており、前記圧縮空気ノズルが、前記印刷ウェブのウェブ縁部に向けられており、さらに、幅の異なる印刷ウェブが使用された際、ウェブ側端の位置情報を含む制御信号に応答して、前記第１の駆動ユニットを制御し、前記噴射ユニットを前記ウェブ縁部に隣接する配置すべき位置に自動的に配置する第１の駆動制御ユニットが備えられている、ことを特徴とする自動ウェブ捕捉装置を提供するものである。
ここで、「噴射ユニットの幅」とは、噴射ユニットのウェブ幅方向に沿った長さを指す。
【００１３】
また本発明は、上記構成において、＜２＞  前記噴射ユニットが、一方および他方の前記ウェブ側端に対してそれぞれ設けられており、前記第１の駆動ユニットは、前記噴射ユニットの両方に対して１つ、またはそれぞれに対して１つずつ設けられており、さらに、前記第１の駆動制御ユニットは、前記第１の駆動ユニットが前記噴射ユニットそれぞれに対して１つずつ設けられている場合、前記第１の駆動ユニットの両方に対して１つまたはそれぞれに対して１つずつ設けられている、ことを特徴とする自動ウェブ捕捉装置を提供するものである。
【００１４】
また本発明は、上記構成において、＜３＞  前記噴射ユニットの幅が、前記ウェブ通過開口の幅の５０％以下または２５％以下、あるいは前記ウェブ縁部と同じ幅であることを特徴とする自動ウェブ捕捉装置を提供するものである。
【００１５】
また本発明は、上記構成において、＜４＞  前記噴射ユニットが、複数の前記圧縮空気ノズルを有していることを特徴とする自動ウェブ捕捉装置を提供するものである。
【００１６】
また本発明は、上記構成において、＜５＞  複数の補助圧縮空気ノズルを有する補助噴射ユニットが、前記ウェブ進入側の前記噴射ユニットの隣において前記ウェブ表面に対向するように配置されており、前記補助噴射ユニットおよび前記補助圧縮空気ノズルは、前記ウェブ表面の少なくとも１面側に、当該自動ウェブ捕捉装置を通過し得る前記印刷ウエブの最大幅にわたり、前記ウェブ幅方向に沿って配置されていることを特徴とする自動ウェブ捕捉装置を提供するものである。
【００１７】
また本発明は、上記構成＜５＞において、＜６＞  前記噴射ユニットおよび前記補助噴射ユニットは、同じウェブ表面側に配置されていることを特徴とする自動ウェブ捕捉装置を提供するものである。
【００１８】
また本発明は、上記構成において、＜７＞  前記印刷ウェブを非接触に検出する少なくとも１つの検出器を有する少なくとも１つの監視ユニットを含み、前記検出器の検出信号に応じた監視信号を生成する、ウェブ監視装置がさらに備えられていることを特徴とする自動ウェブ捕捉装置を提供するものである。
【００１９】
また本発明は、上記構成＜７＞において、＜８＞  前記ウェブ監視装置が、当該自動ウェブ捕捉装置のウェブ退出側に配置されていることを特徴とする自動ウェブ捕捉装置を提供するものである。
【００２０】
また本発明は、上記構成＜７＞または＜８＞において、＜９＞  前記監視ユニットは、ウェブ断裂検出装置に含まれており、当該ウェブ断裂検出装置は、前記印刷ウェブが断裂した際、前記監視信号としてエラー信号を生成するようになっていることを特徴とする自動ウェブ捕捉装置を提供するものである。
【００２１】
また本発明は、上記構成＜９＞において、＜１０＞  前記検出器は、前記ウェブ縁部の前記ウェブ側端近傍を横切る検出光線を生成するウェブ断裂検出器であり、前記監視ユニットは、前記ウェブ側端の一方、他方または両方の近傍にそれぞれ位置調節されるウェブ断裂監視ユニットであり、前記検出光線は、前記印刷ウェブが正常なテンションを保ちつつ走行しているとき、前記印刷ウェブによって遮断される一方、前記印刷ウェブが断裂したとき、前記印刷ウェブによって遮断されないようになっている、ことを特徴とする自動ウェブ捕捉装置を提供するものである。
【００２２】
また本発明は、上記構成＜１０＞において、＜１１＞  前記ウェブ断裂監視ユニットは、前記ウェブ縁部に向けられた少なくとも１つの圧縮空気ノズルを有しており、ウェブ断裂が生じた際、前記圧縮空気ノズルからの圧縮空気により、前記印刷ウェブにおける断裂箇所より上流側の部分を押し下げるようになっていることを特徴とする自動ウェブ捕捉装置を提供するものである。
【００２３】
また本発明は、上記構成＜７＞〜＜１１＞において、＜１２＞  前記監視ユニットは、ウェブ縁部破れ検出装置に含まれており、当該ウェブ縁部破れ検出装置は、前記ウェブ縁部に破れが発生した際、前記監視信号としてエラー信号を生成するようになっていることを特徴とする自動ウェブ捕捉装置を提供するものである。
【００２４】
また本発明は、上記構成＜１２＞において、＜１３＞前記検出器は、前記ウェブ幅方向に間隔をあけて配置された内側および外側ウェブ側端検出器であり、前記監視ユニットは、前記ウェブ幅方向に移動して前記ウェブ側端の一方、他方または両方の近傍における目標位置にそれぞれ位置調節され得るウェブ側端監視ユニットであり、前記目標位置においては、前記内側ウェブ側端検出器による内側検出光線のみが前記印刷ウェブに交差し、外側ウェブ側端検出器による外側検出光線は交差しないようになっており、前記ウェブ側端監視ユニットは、第２の駆動ユニットと、当該第２の駆動ユニットを制御する第２の駆動制御ユニットとを備えていて、前記ウェブ側端の一方または両方が前記ウェブ幅方向に位置ずれしている場合、前記第２の駆動ユニットによって、前記ウェブ側端に対して位置調節され、前記ウェブ側端監視ユニットの前記位置調節は、前記検出光線のうちの何本が前記印刷ウェブに交差するかに応じて行われ、前記内側検出光線のみが前記印刷ウェブに交差し、前記外側検出光線は交差しないようにされ、前記ウェブ縁部破れ検出装置は、比較装置を備えており、前記比較装置は、前記ウェブ側端監視ユニットの現在位置を示す現在位置信号を前記第２の駆動制御ユニットから受信し、前記現在位置信号と前記ウェブ側端監視ユニットの目標位置に関する目標位置信号とを比較計算し、前記現在位置信号の値が前記目標位置信号の値から予め定められた最小値以上に外れていたとき、エラー信号を生成する、ことを特徴とする自動ウェブ捕捉装置を提供するものである。
【発明の効果】
【００２５】
上記のように構成された本発明の自動ウェブ捕捉装置によれば、印刷ウェブのウェブ縁部に圧縮空気を作用させる噴射ユニットが、使用される印刷ウェブの幅に応じ、自動的にウェブ幅方向に移動せしめられてウェブ縁部近傍に位置調節される。よって、本発明の自動ウェブ捕捉装置によれば、常に、ウェブ縁部近傍に集中して圧縮空気を作用させることができ、無駄に消費される圧縮空気を低減することができる。
【発明を実施するための最良の形態】
【００２６】
以下、図面を参照して本発明の好ましい一実施形態につき説明する。
輪転印刷機は、図１に示す如く、印刷ウェブ４の走行方向２に沿って順に、ウェブ把持装置６と、ウェブ切断装置８と、印刷ウェブ４の両面を印刷する少なくとも１つの両面印刷ユニット１０と、本発明にかかる自動ウェブ捕捉装置１６と、印刷済みの印刷ウェブ４を乾燥させる乾燥機１８と、印刷ウェブ４を冷却する冷却装置２０と、を備えている。
【００２７】
ウェブ切断装置８は、印刷ウェブ４の断裂（ウェブ幅方向の破れによる断裂）が生じると、印刷ウェブ４を切断する。その後、ウェブ把持装置６は、印刷ウェブ４の切断箇所より後ろの部分の前端を把持する。
【００２８】
本実施形態における輪転印刷機は、図１に示す如く、両面印刷ユニット１０を２つ備えている。両面印刷ユニット１０はそれぞれ、２つの版胴１１と、版胴１１の内側に互いに対向するように配置された２つのゴム胴１２とを有している。印刷ウェブ４は、ゴム胴１２，１２間を通過することで、両面印刷される。
【００２９】
自動ウェブ捕捉装置１６は、印刷ウェブ４がその走行方向２に沿って通過し得るスリット状のウェブ通過開口２２を有している。
【００３０】
自動ウェブ捕捉装置１６のウェブ進入側２６には、印刷ウェブ４の表面（好ましくは下面）に対向する噴射ユニット２４が配置されている。噴射ユニット２４は、少なくとも１つのノズル孔を有する圧縮空気ノズル２８を備えている。圧縮空気ノズル２８は、ウェブ表面に対して安定化用圧縮空気３０を供給し、印刷ウェブ４の振動またはバタつきを抑制する。圧縮空気ノズル２８は、ウェブ表面に対向している。噴射ユニット２４は、ウェブ幅方向に移動して位置を変え得るように配置されている。
【００３１】
１つまたは複数の圧縮空気ノズル２８が配置された少なくとも１つの噴射ユニット２４の幅は、ウェブ通過開口２２の幅の７５％以下、好ましくは５０％以下または２５％以下である。
【００３２】
好適な実施形態によれば、噴射ユニット２４の幅は、噴射ユニット２４が対向する印刷ウェブ４のウェブ縁部の幅と同程度である。また、噴射ユニット２４の幅は、輪転印刷機が異なった幅の印刷ウェブ４をそれぞれ印刷機の中央に配置するようになっている場合であっても、噴射ユニット２４から供給される安定化用圧縮空気３０が、印刷ウェブ４のウェブ縁部のみに作用されるような幅になっている。
【００３３】
ウェブ縁部は、好ましくはウェブ幅の４分の１以下である。噴射ユニット２４によれば、圧縮空気が主にウェブ縁部のウェブ側端側を安定化し、印刷ウェブ４の振動やバタつきが抑制または回避される。ウェブ側端に対しては、印刷ウェブを非接触で監視する監視ユニットが近接して配置され得る。
【００３４】
噴射ユニット２４は、印刷ウェブ４の一方の側端近傍に配置されるか、または図４に例示されるように、印刷ウェブ４の両方の側端近傍に配置される。両噴射ユニット２４は同様に形成されているため、これ以降、両噴射ユニット２４のうちの一方のみが代表的に記載される。
【００３５】
各噴射ユニット２４は、モータなどの駆動ユニット（第１の駆動ユニット）３２によってウェブ幅方向に変位し得るように配置される。ここで、ウェブ幅方向は、スリット状のウェブ通過開口２２の長さ方向と一致する。駆動制御ユニット（第１の駆動制御ユニット）３８は、制御信号３６に応答して、駆動ユニット３２を自動制御する。制御信号３６は、印刷ウェブ４の幅に依存し、印刷ウェブ４の側端の位置を示している。つまり、制御信号３６は、噴射ユニット２４が配置されるべき位置を示している。制御信号３６は、輪転印刷機の制御装置から送信される。制御信号３６は、印刷ウェブ４のウェブ幅に関するデータを含んでいる。輪転印刷機を通過する印刷ウェブ４の側端の位置は、ウェブ幅を示す信号（ウェブ縁部の位置を示す信号でもある）によって、既知である。制御信号３６が印刷ウェブ４の側端の位置を示しているため、噴射ユニット２４は、駆動制御ユニット３８によって位置調節される。それゆえ、圧縮空気ノズル２８は、印刷ウェブの幅によらず、常に印刷ウェブ４のウェブ縁部に向けられる。
【００３６】
駆動制御ユニット３８は、図４に示す如く、各駆動ユニット３２のために１つ配置され、両駆動ユニット３２を制御する。
【００３７】
幅の異なる印刷ウェブ４が輪転印刷機に用いられても、ウェブの中央は輪転印刷機の中央に一致する。それゆえ、駆動ユニット３２によって、各噴射ユニット２４を同時に互いに反対方向に駆動して位置調節することにより、幅の異なる印刷ウェブ４に対応することができる。
【００３８】
印刷ウェブ４の移動速度が速い場合、また特にウェブ幅が広い場合、印刷ウェブ４の振動やばたつきは、補助噴射ユニット４４によって抑制される。補助噴射ユニット４４は、複数のノズル孔を有する補助圧縮空気ノズル４８を備えている。補助圧縮空気ノズル４８は、印刷ウェブ４のウェブ表面、好ましくはウェブ下面、に対向している。補助噴射ユニット４４は、ウェブ通過開口２２の幅全体にわたって、広がっている。補助圧縮空気ノズル４８は、ウェブ通過開口２２の幅全体にわたって、分散して配置されている。それゆえ、補助圧縮空気ノズル４８からの補助圧縮空気５０は、印刷ウェブ４の幅全体に対して供給される。つまり、補助圧縮空気ノズル４８からの補助圧縮空気５０は、印刷ウェブ４の幅全体にわたる振動に対して供給される。補助噴射ユニット４４は、自動ウェブ捕捉装置１６のウェブ進入側２６に配置される。
【００３９】
本発明の別の実施形態によれば、補助噴射ユニット４４の補助圧縮空気ノズル４８は、噴射ユニット２４の圧縮空気ノズル２８が、自動ウェブ捕捉装置１６を通過し得る最大幅の印刷ウェブ４のウェブ縁部に対して配置されているとき、その圧縮空気ノズル２８が存在しない領域のみに対して設けられる。
【００４０】
噴射ユニット２４および補助噴射ユニット４４は、好ましくは、印刷ウェブ４の同一表面側に配置される。両噴射ユニット２４，４４は、好ましくは、自動ウェブ捕捉装置１６のウェブ進入側２６に配置される。両噴射ユニットはそれぞれ銃状に形成されており、その銃身が圧縮空気ノズルを構成するように形成されている。
【００４１】
自動ウェブ捕捉装置１６は、ウェブ通過開口２２内における印刷ウェブ４の下方に、捕捉ローラ５４を備えている。自動ウェブ捕捉装置１６はさらに、ウェブ通過開口２２内における印刷ウェブ４の上方に、一列に配置された複数のトロリーホイール５６と、それらを支持するトロリーホイールキャリア５８とを備えている。トロリーホイールキャリア５８は、回動軸６０のまわりに回動可能になっている。回動軸６０は、トロリーホイール５６の回転軸と同様に、ウェブ幅方向に平行にのびている。印刷機が正常に運転されている際、印刷ウェブ４は、捕捉ローラ５４からも垂直方向に距離があり、トロリーホイール５６からも垂直方向に距離がある。捕捉ローラ５４およびトロリーホイール５６は、互いに平行に配置されている。捕捉ローラ５４とトロリーホイール５６との間の空間は、ウェブ通過開口２２の一部を構成する。
【００４２】
自動ウェブ捕捉装置１６は、ウェブ捕捉制御装置６２を有している（図２参照）。ウェブ捕捉制御装置６２がエラー信号、例えばウェブ断裂信号またはウェブ縁部破れ信号、を受信すると、トロリーホイール駆動装置６４が駆動される。それにより、トロリーホイールキャリア５８を介して、トロリーホイール５６が捕捉ローラ５４に向かって下方に移動せしめられる。その結果、印刷ウェブ４は、トロリーホイール５６と捕捉ローラ５４との間に挟まれる。このとき、図３に示す如く、分裂した印刷ウェブ４の上流側部分４−３の前部分４−２は、矢印２−２の方向に沿って下方に移動し、自動ウェブ捕捉装置１６のウェブ退出側５２へ落ちていく。
【００４３】
トロリーホイール５６は、自由回転可能にトロリーホイールキャリア５８に支持されている。捕捉ローラ５４は、印刷機の運転中常に、モータ６６により、印刷ウェブ４の移動速度よりも少し速い周速で回転せしめられている。それによって、捕捉ローラ５４は、破れて分裂した印刷ウェブ４の上流側部分４−３を、最下流側の印刷ユニット１０から引き出す。その結果、印刷ウェブ４の上流側部分４−３は、印刷ユニット１０に巻き付かない。
【００４４】
本発明にかかる自動ウェブ捕捉装置１６は、好ましくは、ウェブ断裂監視装置を備えている。ウェブ断裂監視装置は、少なくとも１つの監視ユニットを備えている。監視ユニットは、印刷ウェブ４を非接触で検出する少なくとも１つの検出器を有すると共に、当該検出器の検出結果に応じて制御信号を生成する。ウェブ断裂監視装置は、ウェブ断裂および／またはウェブ縁部破れおよび／またはウェブ振動の監視ならびに／あるいはウェブ速度の測定等をするようになっている。以下、ウェブ断裂監視装置の例を記載するが、本発明はこれに限定されるものではない。
【００４５】
ウェブ断裂監視装置における少なくとも１つの監視ユニットは、少なくとも１つの検出器を有しており、好ましくは、自動ウェブ捕捉装置１６のウェブ退出側に配置される。
【００４６】
本発明の実施形態によれば、ウェブ断裂監視装置はウェブ断裂検出装置６８を有している。ウェブ断裂検出装置６８は、ウェブ断裂が生じた際、エラー信号６９を制御装置７６内に生成せしめる。
【００４７】
好ましい実施形態によるウェブ断裂検出装置６８が、ウェブ走行方向から見た図として図５に示されている。ウェブ断裂検出装置６８は少なくとも１つ、好ましくは２つ、のウェブ断裂監視ユニット７０ａ，７０ｂを有している。ウェブ断裂監視ユニット７０ａ，７０ｂはそれぞれ、印刷ウェブ４のウェブ側端４−５，４−６に近接して配置される。ここで、ウェブ断裂監視ユニット７０ａ，７０ｂは、例えば印刷ウェブ４の幅に応じた位置調節信号７１が制御装置７６に入力されることによって、位置調節され得る。位置調節信号７１は、例えば印刷機の制御装置によって生成される。ウェブ断裂監視ユニット７０ａ，７０ｂはそれぞれ、少なくとも１つのウェブ断裂検出器を有しており、本実施形態では２つのウェブ断裂検出器７８，７９を有している。ウェブ断裂検出器７８，７９は、検出光線８０を生成する。検出光線８０は、ウェブ側端４−５，４−６近傍のウェブ縁部の表面を横切るように配置されている。それゆえ、検出光線８０は、印刷ウェブ４が正常なテンションのもとで走行しているとき、印刷ウェブ４によって遮られる。これに対し、ウェブ断裂が生じたとき、検出光線８０は印刷ウェブ４から外れる。
【００４８】
ウェブ断裂検出器７８，７９は、例えば、検出光線８０を発生させるトランスミッタ７８と、検出光線８０を受けるレシーバ７９とにより、構成される。印刷ウェブ４の断裂によって検出光線８０が遮断されなくなった場合、制御装置７６がエラー信号６９を生成し、トロリーホイール５６がトロリーホイール駆動装置６４によって下方に移動せしめられる。それにより、印刷ウェブ４は、前述の図２および図３に示されるとおり、トロリーホイール５６と捕捉ローラ５４との間に把持される。
【００４９】
好ましい実施形態にかかるウェブ断裂検出器７８，７９は、少なくとも１つの圧縮空気ノズル７４ａ，７４ｂを備えている。圧縮空気ノズル７４ａ，７４ｂは、ウェブ側端４−５，４−６近傍のウェブ表面に向けられている。ウェブ断裂が生じた際、分裂した印刷ウェブ４の上流側部分の前部分４−２は、重力と圧縮空気ノズル７４ａ，７４ｂによる押圧力とによって下方に向かっていく。つまり、ウェブ断裂が生じたとき、印刷ウェブ４の側部は、圧縮空気ノズル７４ａ，７４ｂからの圧縮空気７２ａ，７２ｂによって、より速く検出光線８０から外れる。その結果、エラー信号がより早く生成される。
【００５０】
ウェブ断裂監視ユニット７０ａ，７０ｂは、好ましくは、駆動装置８２ａ，８２ｂにより、位置調節信号７１に応答してウェブ幅方向に移動し得るようになっている。検出光線８０は、図５に示すように、印刷ウェブ４の側端４−５，４−６から少し内側の部分に交差する。位置調節信号７１は、印刷ウェブ４の幅に依存する。位置調節信号７１は、手動で与えられ得る。位置調節信号７１は、好ましくは、自動ウェブ捕捉装置１６の制御装置または印刷機の制御装置によって自動的に生成され、与えられる。この自動化により、幅の異なるウェブを印刷する際、ウェブ断裂監視ユニット７０ａ，７０ｂが、図５に示す所定位置に自動的に位置調節される。
【００５１】
ウェブ断裂監視装置は、ウェブ断裂検出器７８，７９を有しており、好ましくは、ウェブ縁部破れ検出装置８８を追加的に有している。ウェブ縁部破れが生じた場合、エラー信号８４が監視信号として生成される。このエラー信号８４に応答して、トロリーホイール駆動装置６４が駆動され、印刷ウェブ４がトロリーホイール５６と捕捉ローラ５４との間に把持される（図２および図３参照）。
【００５２】
好適な実施形態にかかるウェブ縁部破れ検出装置８８が、ウェブ走行方向から見た図として図６に示されている。ウェブ縁部破れ検出装置８８は、ウェブ幅方向に移動して、目標位置に位置調節され得るウェブ側端監視ユニット９０ａ，９０ｂを有している。ウェブ側端監視ユニット９０ａ，９０ｂは、ウェブ側端４−５，４−６の位置を基準に、例えば印刷機の制御装置により、前述のウェブ断裂検出装置６８と同様に位置調節される。
【００５３】
ウェブ側端監視ユニット９０ａ，９０ｂの目標位置は、印刷ウェブ４が、互いに間隔をあけて配置されたウェブ側端検出器９５ｃ，９５ｄによる内側検出光線９５とは交差するが、ウェブ側端検出器９４ｃ，９４ｄによる外側検出光線９４とは交差しない位置とされる。
【００５４】
ウェブ側端監視ユニット９０ａ，９０ｂはそれぞれ、駆動ユニット（第２の駆動ユニット）９２ａ，９２ｂを備えている。ウェブ側端監視ユニット９０ａ，９０ｂは、ウェブ側端４−５，４−６の一方または両方が横方向に位置ずれしている場合、当該位置ずれが解消されるように、駆動ユニット９２ａ，９２ｂによってウェブ側端４−５，４−６に対して位置調節される。位置調節後は、上述のように、内側検出光線９５は印刷ウェブ４の表面に交差するが、外側検出光線９４は交差しない状態になる。この位置調節は、ウェブ側端監視ユニット９０ａ，９０ｂの一方および／または他方の検出光線９４，９５のうち、何本が印刷ウェブ４に交差しているかに応じて行なわれる。
【００５５】
ウェブ縁部破れ検出装置８８は、電気回路からなる比較装置９６を有している。比較装置９６は、駆動制御ユニット（第２の駆動制御ユニット）９３ａおよび／または９３ｂから、ウェブ側端監視ユニット９０ａ，９０ｂの現在位置信号を受信する。比較装置９６は、現在位置信号と目標位置信号９１とを比較計算し、現在位置信号の値が目標位置から予め定められた最小値以上に外れていたとき、エラー信号８４を生成する。ここで、現在位置信号は、ウェブ側端監視ユニット９０ａ，９０ｂの目標位置に対して独立したものである。一方、目標位置信号９１は、適宜印刷機の制御装置から送信されるものであり、ウェブ側端４−５，４−６の位置、つまり既知である印刷ウェブの実際の幅に基づいて生成されている。
【００５６】
エラー信号８４は、印刷ウェブ４のウェブ縁部が破れているという危険を示している。なぜなら、ウェブ縁部に破れがなければ現在位置信号の値と目標位置信号の値とは同じであるが、ウェブ縁部が破れていれば、検出光線９４，９５と印刷ウェブ４との交差状況が変化し、それに応じてウェブ側端監視ユニット９０ａ，９０ｂが位置調節され、現在位置信号の値が目標位置信号の値からずれるからである。
エラー信号８４により、自動ウェブ捕捉装置が駆動され、トロリーホイール５６と捕捉ローラ５４とによって印刷ウェブ４が排出される。
【００５７】
本明細書に記載された全ての駆動装置および駆動ユニットは、適宜、変形して実施され得る。本実施形態にかかる駆動装置および駆動ユニットは、手動式でなく、制御可能なものが好ましい。また、別の駆動源によって駆動される駆動装置および駆動ユニットであってもよい。好ましくは、ステッピングモータなどの電気モータではなく、圧縮空気、水圧または電磁石による駆動制御や、シリンダ−ピストン装置が好ましい。ステッピングモータは、回転ステップが、現在位置や、ステッピングモータによって駆動された装置の現在位置と目標位置との間の位置ずれを認識するためのメジャーとして使用されるからである。
【図面の簡単な説明】
【００５８】
【図１】本発明にかかる自動ウェブ捕捉装置を備えたオフセット輪転印刷機の一例を概略的に示す部分側面図である。
【図２】図１の自動ウェブ捕捉装置における捕捉ユニットを概略的に示す側断面図である。
【図３】図２の捕捉ユニットであって、ウェブ断裂が生じたときのものを示す概略側面図である。
【図４】図１の自動ウェブ捕捉装置をウェブ通過方向からみた図である。
【図５】図１の自動ウェブ捕捉装置におけるウェブ断裂検出装置を、自動ウェブ捕捉装置のウェブ退出側からウェブ走行方向に沿ってみた図である。
【図６】ウェブ縁部破れ検出装置を、自動ウェブ捕捉装置のウェブ退出側からウェブ走行方向に沿ってみた図である。
【符号の説明】
【００５９】
４  印刷ウェブ
１６  自動ウェブ捕捉装置
２２  ウェブ通過開口
２４  噴射ユニット
２８  圧縮空気ノズル
３２  駆動ユニット
３８  駆動制御ユニット（第１の駆動制御ユニット）
【図１】
2008110607.tif 000003
【図２】
2008110607.tif 000004
【図３】
2008110607.tif 000005
【図４】
2008110607.tif 000006
【図５】
2008110607.tif 000007
【図６】
2008110607.tif 000008